(57)【要約】【課題】適切な測定姿勢に誘導することで正確な測定結果を得る血圧情報測定装置を提供する。【解決手段】測定装置は、腕帯５を測定部位である上腕に装着するよう測定姿勢をとった際に肘を置く位置に荷重検知部９を備え、測定前に、所定位置の荷重を検知することで肘が所定位置に載置されて適切な測定姿勢であることを判定する。判定された後に測定動作が開始される。測定動作中は、荷重検知部９で荷重の変化および荷重の位置の変化を検出することで体動を検知し、その旨を表示する。【選択図】図２
2010075514.tif 000002
【特許請求の範囲】
【請求項１】
測定部位に装着されて、前記測定部位より血圧情報を測定する測定手段と、
前記測定手段での測定動作および測定結果の処理を制御する制御手段と、
前記測定手段より、前記測定部位に前記測定手段を装着した状態で前記測定部位を含む一肢のうちの一部が接触し得る距離内に設けられる、少なくとも１以上の、荷重を検知する検知手段と、
前記測定手段での血圧情報の測定の際に、前記検知手段での荷重の検知結果を通知する通知手段とを備える、血圧情報測定装置。
【請求項２】
前記通知手段は、前記測定手段での測定前に前記検知手段で予め規定された範囲内に荷重が検知された場合に、その旨を通知し、
前記制御手段は、前記測定手段での測定前に前記検知手段で前記予め規定された範囲内に荷重が検知されるまで前記測定手段での測定を開始せず、前記予め規定された範囲内に荷重が検知された場合に、前記測定手段での測定を開始する、請求項１に記載の血圧情報測定装置。
【請求項３】
前記通知手段は、前記測定手段での測定前に前記検知手段で前記予め規定された範囲とは異なる範囲内に荷重が検知された場合に、荷重が検出された位置と前記予め規定された範囲との位置関係に応じた通知を行なう、請求項２に記載の血圧情報測定装置。
【請求項４】
前記通知手段は、前記検知手段で、前記測定手段での測定動作中に、前記測定前に検知された荷重の変化が検知された場合に、その旨を通知する、請求項１〜３のいずれかに記載の血圧情報測定装置。
【請求項５】
前記検知手段は、前記測定動作中に前記予め規定された範囲とは異なる範囲に荷重を検知した場合、または前記予め規定された範囲内の荷重が前記測定前の荷重から所定量変化した場合に、前記測定前に検知された荷重の変化を検知する、請求項４に記載の血圧情報測定装置。
【請求項６】
前記測定部位は上腕であり、
前記検知手段は、前記測定手段より、前記測定部位である上腕よりも末梢側の少なくとも１箇所の部位が接触し得る位置に設けられ、前記少なくとも１箇所の部位が載荷されることによる荷重を検知する、請求項１〜５のいずれかに記載の血圧情報測定装置。
【発明の詳細な説明】
【技術分野】
【０００１】
この発明は血圧情報測定装置に関し、特に、測定部位として上腕から血圧情報を測定する血圧情報測定装置に関する。
【背景技術】
【０００２】
血圧計を用いて血圧を測定するなど、血圧情報測定装置を用いる際には、測定部位と心臓との位置関係を適切にし、測定期間中その状態を保つ必要がある。測定部位が上腕である場合には、上腕を心臓とほぼ水平となる測定姿勢とし、上腕に装着した空気袋であるカフを加圧・減圧させて血圧を測定する間、上腕が動かないように上記測定姿勢を保つ必要がある。なぜなら、測定姿勢が適切でないと正確な測定が行なわれなかったり、体動があった場合には体動によるノイズが測定結果に影響して正確な測定値が得られなかったりするからである。
【０００３】
適切な測定姿勢とするために、測定者に正しい測定姿勢をガイドするための肘置きを備えた据え置き型自動電子血圧計が提案されている。また、測定結果に対する体動の影響を抑制するために、血圧計において、体動によって生じるカフの急激な体積変動やノイズの印加を検出する手法を採用して体動検出を行なう技術も提案されている。
【０００４】
特開２００７−０４４３６２号公報（特許文献１）は、血圧情報測定装置として、血圧測定用のカフと脈波測定用のカフを備え、上腕の脈波から血圧を測定すると共にＰＷＶ（pulse wave velocity）を測定し動脈硬化度を判定する装置を開示している。その装置では、測定の場合一定の血流が確保された状態で脈波が測定される。
【特許文献１】特開２００７−０４４３６２号公報
【発明の開示】
【発明が解決しようとする課題】
【０００５】
しかしながら、上述の肘置きを備えた血圧計を用いる場合であっても、肘置きに正しく肘が接していないまま測定を開始したり、測定中のカフの圧迫により肘が肘置きから浮いたりして測定姿勢が不安定になることで体動を誘発し、カフへ振動が伝達することで検出した脈波にノイズが印加され正確に脈波・血圧を検出できない場合がある、という問題がある。
【０００６】
また、測定用のカフから得られた体動を検知する方法では上腕部での測定の場合、その構造上、上腕部が動かずに前腕部のみの体動に対しては検知できない可能性があり、適切に体動が検知できない場合がある、という問題がある。
【０００７】
特許文献１に開示されている装置については、本願出願人らの研究の結果、上腕部より末梢側（前腕・手首部）の測定中の体動が脈波波形の歪に大きく影響することが確認されており、上腕部に装着されたカフで取得した脈波に対しての体動の判定結果から脈波の加工・削除する信号処理では、体動による脈波の歪を常に正しく認識し適切な処理を行なっているとは限らないと考えられる。そのため、特許文献１に開示されている装置を用いた場合でも、正確に脈波・血圧が検出されていない場合もある、という問題がある。
【０００８】
さらには、これらの体動を検知する方法は脈波波形の歪から間接的に体動の有無を判定するものであって、直接的に体動を検知する方法ではない。そのため、直接的に体動を検知する方法と比べると、検知精度が劣るという問題もある。
【０００９】
本発明はこのような問題に鑑みてなされたものであって、上腕で血圧情報を測定する場合に肘が載荷される位置に肘の載荷を検知する手段を備えることにより測定者の測定姿勢を適切にし、精度よい血圧情報を測定することのできる血圧情報測定装置を提供することを目的とする。
【課題を解決するための手段】
【００１０】
上記目的を達成するために、本発明のある局面に従うと、血圧情報測定装置は、測定部位に装着されて、測定部位より血圧情報を測定する測定手段と、測定手段での測定動作および測定結果の処理を制御する制御手段と、測定手段より、測定部位に測定手段を装着した状態で測定部位を含む一肢のうちの一部が接触し得る距離内に設けられる、少なくとも１以上の、荷重を検知する検知手段と、測定手段での血圧情報の測定の際に、検知手段での荷重の検知結果を通知する通知手段とを備える。
【００１１】
好ましくは、通知手段は、測定手段での測定前に検知手段で予め規定された範囲内に荷重が検知された場合に、その旨を通知し、制御手段は、測定手段での測定前に検知手段で予め規定された範囲内に荷重が検知されるまで測定手段での測定を開始せず、予め規定された範囲内に荷重が検知された場合に、測定手段での測定を開始する。
【００１２】
より好ましくは、通知手段は、測定手段での測定前に検知手段で予め規定された範囲とは異なる範囲内に荷重が検知された場合に、荷重が検出された位置と予め規定された範囲との位置関係に応じた通知を行なう。
【００１３】
好ましくは、通知手段は、検知手段で、測定手段での測定動作中に、測定前に検知された荷重の変化が検知された場合に、その旨を通知する。
【００１４】
より好ましくは、検知手段は、測定動作中に予め規定された範囲とは異なる範囲に荷重を検知した場合、または予め規定された範囲内の荷重が測定前の荷重から所定量変化した場合に、測定前に検知された荷重の変化を検知する。
【００１５】
好ましくは、測定部位は上腕であり、検知手段は、測定手段より、測定部位である上腕よりも末梢側の少なくとも１箇所の部位が接触し得る位置に設けられ、当該少なくとも１箇所の部位が載荷されることによる荷重を検知する。
【発明の効果】
【００１６】
本発明にかかる血圧情報測定装置を用いることで、適切な測定姿勢で血圧情報を測定することができ、測定精度を向上させることができる。さらに、測定中の体動を精度よく検知することで、診断に有用な血圧情報を提供することができる。
【発明を実施するための最良の形態】
【００１７】
以下に、図面を参照しつつ、本発明の実施の形態について説明する。以下の説明では、同一の部品および構成要素には同一の符号を付してある。それらの名称および機能も同じである。
【００１８】
［第１の実施の形態］
図１は、第１の実施の形態にかかる血圧情報測定装置（以下、測定装置と略する）１０１の外観の具体例を示す図である。図２は、測定装置１０１を用いて上腕を測定部位として血圧情報を測定する際の測定姿勢を示す模式断面図である。ここで「血圧情報」とは、生体から測定して得られる、血圧に関連する情報を指し、具体的には、血圧値、脈波波形、および心拍数、などが該当する。
【００１９】
図１を参照して、測定装置１０１は、机等の載置台に載置される基体２と、測定部位である上腕を差し込むための測定部１２とを主に備えている。基体２の上部には、電源の投入に用いられる電源ボタンや測定動作を開始させるための測定ボタンなどが配置された操作部３、および測定結果や操作ガイド等を表示するための表示部４が設けられている。測定部１２は、基体２に回動自在に取り付けられており、略円筒状の機枠であるハウジング６と、ハウジング６の内周部に収納された腕帯とを備える。なお、図１に示すように、通常の使用状態においてハウジング６の内周部に収納された腕帯は露出しておらず、カバー７によって覆われている。さらに、基体２の、測定部１２が取り付けられている面には、荷重検知部９が設けられている。
【００２０】
測定装置１０１を用いた脈波の測定に際しては、図２に示すように、ハウジング６の内側に位置する中空部に上腕を差し込み、ハウジング６の内周部に組み込まれた腕帯５に包含される空気袋によって上腕を圧迫固定し、空気袋の内圧変化を検出することによって、血圧情報の測定が行なわれる。
【００２１】
荷重検知部９は、測定部１２から、測定部１２のハウジング６の中空部に上腕が差し込まれた際に測定部位の動きに関与する被測定者の身体の一部が接触し得る範囲内に設けられる。測定部位に関与する被測定者の身体の一部とは、当該身体の一部の動きと連動して測定部位が動く可能性のある部位を指し、より具体的には、測定部位が上腕である場合に肘部であるなど、測定部位を含む一肢のうちの測定部位以外の一部を指す。具体的に、荷重検知部９は、ハウジング６の中空部に上腕が差し込まれた際に、肘を載置する位置に設けられているものとする。荷重検知部９の具体的な構成については特定の構成に限定されず、検知領域に載荷される荷重の大きさが検知できる構成であれば、電気的な構成であっても物理的な構成であってもよい。図３は、荷重検知部９の検知領域の具体例を示す図である。図３を参照して、荷重検知部９は複数の検知領域１〜５を含んで構成され、各領域の荷重を検知し、検知された荷重に応じた検知信号を出力する。図３は検知領域１〜５の配置の１つの例を示しており、領域１は測定姿勢が適切であるときに肘が載置される領域に該当する。ここで、適切な測定姿勢とは、ハウジング６の中空部の略中央位置を上腕の中心位置とし、肘が基体２に接するまで上腕を差し込んだ姿勢を言うものとする。好ましくは、この姿勢をとった際に、腕体５の装着される測定部位である上腕と被測定者の心臓とがほぼ同じ水平高さにあるよう、たとえば被測定者が座るための椅子や、立つ位置などが定められ、被測定者の位置が定められている。なお、図３には荷重検知部９に複数の検知領域が含まれている例が示されているが、荷重検知部９には、少なくとも１つ、測定姿勢が適切であるときに肘が載置される領域１に該当する検知領域が含まれていればよい。
【００２２】
なお、図１〜図３は、測定装置１０１が、基体２に測定部１２が取り付けられた、据置型である場合の例を示しているが、測定装置１０１は、図４に示されるように、基体２にエアチューブ８を介して腕帯５が接続されて、腕帯５を測定者が測定部位に巻き付けて血圧情報を測定するタイプのものであってもよい。その場合、図４に示されるように、荷重検知部９は基体２の上部に設けられるものとする。
【００２３】
図５は、測定装置１０１の機能ブロックを示す図である。図５を参照して、腕帯５には空気袋１３が備えられ、エアチューブ８を介して、エアポンプ２１、排気弁２２および圧力センサ２３が接続されている。
【００２４】
エアポンプ２１は駆動回路２６に接続され、駆動回路２６によって駆動されて空気袋１３に圧縮気体を送り込む。排気弁２２は駆動回路２７に接続され、駆動回路２７によって駆動されて開閉する。排気弁２２が閉塞されることで、エアチューブ８が閉空間となりエアチューブ８に接続状態となっている空気袋１３内の圧力が維持される。排気弁２２が開放されることで、エアチューブ８が開放されてエアチューブ８に接続状態となっている空気袋１３内の空気が排出される。圧力センサ２３は、エアチューブ８および空気袋１３内の圧力を検出し、その検出値に応じた信号を増幅器２８に対して出力する。増幅器２８は、圧力センサ２３から出力される信号を増幅し、Ａ／Ｄ変換器２９に出力する。Ａ／Ｄ変換器２９は、増幅器２８から出力されたアナログ信号をデジタル化する。荷重検知部９は駆動回路２５に接続され、駆動回路２５によって駆動されて荷重を検知して荷重に応じた検知信号を駆動回路２５に対して出力する。
【００２５】
駆動回路２５，２６，２７、およびＡ／Ｄ変換器２９にはＣＰＵ（Central Processing Unit）４０が接続される。さらに、ＣＰＵ４０には、操作部３、表示部４、およびメモリ４１が接続される。メモリ４１は、測定結果や、ＣＰＵ４０で実行されるプログラムを記憶する。また、メモリ４１は、後述する、体動を検知したことを示す検知フラグ４１１を記憶する記憶領域を含む。
【００２６】
ＣＰＵ４０は判定部４０１を含む。判定部４０１は、ＣＰＵ４０が操作部３から入力される操作信号に基づいてメモリ４１に記憶されている所定のプログラムを実行することで、ＣＰＵ４０に形成される。判定部４０１は荷重検知部９からの検知信号に基づいて測定姿勢の適否や体動の有無を判定する。詳しくは、荷重検知部９は図３に示されたように検知領域１〜５を含み、荷重検知部９からの検知信号より、測定姿勢が適切であるときに肘が載置される領域に該当する領域１で荷重が検知されることで、その検知信号に基づいて判定部４０１では測定姿勢が適切であることが判定される。図３に示される検知領域２〜５は領域１以外の検知領域であって、これら領域で荷重が検知されることで、その検知信号に基づいて判定部４０１では測定姿勢が適切でないことが判定される。または、荷重検知部９に領域１のみが含まれている場合には、領域１で荷重が検知されないことによって、判定部４０１では測定姿勢が適切でないことが判定される。さらに、適切な測定姿勢で血圧情報の測定が開始した後に領域１以外の領域で荷重が検知されること、または領域１の荷重の変化が検知されることによって、判定部４０１では、測定動作中に体動があったことが判定される。
【００２７】
ＣＰＵ４０は、操作部３から入力された操作信号に基づいてメモリ４１に記憶されるプログラムを実行することで制御信号を生成し、駆動回路２５，２６，２７に出力する。その際、ＣＰＵ４０は、判定部４０１での判定結果に基づいて制御信号を生成する。駆動回路２５，２６，２７はＣＰＵ４０からの制御信号に従って、各々、荷重検知部９、エアポンプ２１、および排気弁２２を駆動させる。また、ＣＰＵ４０は、Ａ／Ｄ変換器２９から取得したデジタル化された圧力センサ２３での検出値と、判定部４０１での判定結果とに基づいて、測定結果をメモリ４１の所定領域に格納する処理や、測定結果を表示部４に表示させるための処理を行なう。
【００２８】
図６は、測定装置１０１での動作を示すフローチャートである。図６に示される動作は、被験者等が基体２の操作部３に設けられた測定ボタンを押下することにより、開始し、ＣＰＵ４０がメモリ４１に記憶されるプログラムを読み出して図５に示される各部を制御することによって実現されるものである。
【００２９】
図６を参照して、ＣＰＵ４０は、操作部３からの操作信号の入力を監視し、測定ボタンが操作されたことを検知すると、ステップＳ１０１でＣＰＵ４０の判定部４０１は、荷重検知部９からの検知信号に基づいて測定姿勢が適切であるか否かの判定を行なう。具体的には、ステップＳ１０１で判定部４０１は荷重検知部９からの検知信号に基づいて図３の検知領域１にのみ荷重が検知されるか否かを判定する。そうでない場合、つまり、領域２〜５にも荷重が検知される場合（ステップＳ１０１でＮＯ）、判定部４０１は測定姿勢が適切ではないと判定し、ステップＳ１０３でＣＰＵ４０は、荷重の検知された領域に応じて、適切な測定姿勢になる肘置きの位置をガイドするための表示を行なう。ステップＳ１０３の処理としては、一例として、予め、荷重の検知された領域に対応付けられたガイド画面が用意されており、ＣＰＵ４０は判定部４０１で判定された荷重の検知された領域に対応したガイド画面のデータを読み出して表示部４に表示させるための処理を行なう処理が挙げられる。具体的には、領域１〜５が図３のように設けられている場合、領域２に荷重が検知された場合には「肘を右手前側へ」とガイドする画面を表示し、領域３に荷重が検知された場合には「肘を左手前側へ」とガイドする画面を表示し、領域４に荷重が検知された場合には「肘を右奥側へ」とガイドする画面を表示し、領域５に荷重が検知された場合には「肘を左奥側へ」とガイドする画面を表示し、いずれの領域にも荷重が検知されない場合には「肘を台に接触させて下さい」とガイドする画面を表示する、などが挙げられる。
【００３０】
上記ステップＳ１０１での判定およびステップＳ１０３でのガイド画面の表示はステップＳ１０１で適切な測定姿勢であると判定部４０１で判定されるまで繰り返される。そして、ＣＰＵ４０は、ステップＳ１０１で適切な測定姿勢であると判定部４０１で判定されるまで、操作部３からの測定開始の指示に従って測定動作を開始しない。これは、測定ボタンからの操作信号の入力を無効とするようにしてもよいし、機械的に操作ボタンを押下できないような機構を有効とするようにしてもよい。判定部４０１で適切な測定姿勢であると判定されると（ステップＳ１０１でＹＥＳ）、ステップＳ１０５でＣＰＵ４０はその旨を通知するための処理を行なう。具体的には、ステップＳ１０５でＣＰＵ４０は、「測定開始準備完了」を通知する画面を表示部４に表示させる。そして、以降、ＣＰＵ４０は測定ボタンからの操作信号の入力を受付ける。
【００３１】
ステップＳ１０７でＣＰＵ４０は、測定ボタンの入力を受付け、ステップＳ１０９で血圧情報としての血圧や脈波を測定する動作を開始する。測定動作が開始されると、ステップＳ１１１の測定動作と、ステップＳ１１３の体動検知動作とが並行して実行される。ステップＳ１１１の測定動作は通常の血圧計などにおける測定動作と同様である。
【００３２】
図７は上記ステップＳ１１３での体動検知動作の具体例を示すフローチャートである。図７を参照して、判定部４０１は、ステップＳ１１１で血圧情報測定動作が開始すると、荷重検知部９からの検知信号に基づいて図３に示された領域２〜５のいずれかの領域に荷重が検知されるか否かを監視する。血圧情報の測定動作中にいずれかの領域で荷重が検知されると（ステップＳ２０１でＹＥＳ）、ステップＳ２０５でＣＰＵ４０は、表示部４に体動を検知したことを通知するための画面を表示する。また、その表示に加えて、またはその表示に替えて、音声やアラームでその旨を告知するようにしてもよい。さらに、ステップＳ２０７でＣＰＵ４０は、メモリ４１の所定領域に、体動が検知されたことを示す検知フラグ４１１を立てる。
【００３３】
領域２〜５のいずれでも荷重が検知されない場合であっても、領域１で検知される荷重が上記ステップＳ１０１で検知された荷重から所定範囲以上変化したことが検知された場合も（ステップＳ２０１でＮＯ、Ｓ２０３でＹＥＳ）、同様に、ステップＳ２０５でＣＰＵ４０は、表示部４に体動を検知したことを通知するための画面を表示し、ステップＳ２０７で検知フラグ４１１を立てる。上記所定範囲は、たとえば５Ｎなどの予め規定された値であってもよいし、ステップＳ１０１で検知された荷重の所定割合であってもよい。
【００３４】
以上で、体動検知動作は図６のメインの動作に戻り、ステップＳ１１１の測定動作および、図７に示されたステップＳ１１３の体動検知動作は、血圧や脈波などの血圧情報の測定が終了するまで繰り返される。すなわち、測定動作が行なわれている間、並行して図７に示されたステップＳ１１３の体動検知動作が繰り返される。
【００３５】
血圧情報の測定が終了すると（ステップＳ１１５でＹＥＳ）、ステップＳ１１７でＣＰＵ４０は、ステップＳ１１１での測定結果を表示部４に表示し、併せて、メモリ４１の検知フラグ４１１を参照してその測定の際の体動の有無を表示部４に表示する。ここでは、体動の有無を画面にて告知してもよいし、体動の有無に応じた表示方法で測定結果を表示させるようにしてもよい。ステップＳ１１９でＣＰＵ４０は、ステップＳ１１１での測定結果をメモリ４１に記憶するための動作を行なう。ここでは、メモリ４１の検知フラグ４１１を参照して、測定時に体動が検知されなかった測定結果のみを記憶するようにしてもよいし、体動の有無と対応付けて記憶するようにしてもよい。
【００３６】
なお、上の例では、測定装置１０１が、ステップＳ１０１での測定姿勢の判定と、ステップＳ１１３の測定動作中の体動検知動作との双方の動作を行なうこととしているが、ステップＳ１０１の測定姿勢の判定のみ行なわれてもよい。
【００３７】
測定装置１０１が荷重検知部９を備えて以上の動作を行なうことで、測定装置１０１では血圧情報の測定開始よりも以前に、肘を置く位置を適切な位置にガイドし、適切な測定姿勢が判定されてから測定が開始される。これにより、正確な血圧情報の測定を行なうことができ、測定精度を向上させることができる。また、肘の置き方による測定結果のばらつきを抑制することができる。これにより、測定データの信頼性を向上させることができる。
【００３８】
さらに、測定装置１０１では測定中に連続して、体動をより精度よく直接的に検知することができる。つまり、荷重検知部９を利用することで体動の検知精度を向上させることができる。測定装置１０１では体動の有無と共に測定結果を表示するため、より診断に有用な測定結果を提示することができる。また、体動の有無に応じて測定結果を記憶するために、記憶されている測定結果の信頼度を向上させることができる。
【００３９】
なお、上の例では、測定部位を含む一肢のうちの測定部位以外の他の１箇所の部位として肘部の載置および載置位置・荷重の変化を検知することで測定姿勢や体動の有無を判定するものとしているが、上記測定部位以外の他の１箇所の部位は肘部に限定されず、たとえば前腕や手首など、測定部位を含む一肢のうちのいずれの部位であってもよい。
【００４０】
［第２の実施の形態］
第１の実施の形態にかかる測定装置１０１では、測定部位を含む一肢のうちの測定部位以外の他の１箇所の部位の載置および載置位置・荷重の変化を検知することで測定姿勢や体動の有無を判定している。しかしながら、上記測定部位以外の他の１箇所の部位として第１の実施の形態で説明されたようにたとえば肘部を用いる場合には、肘部は所定位置に固定したままそれより末梢側の前腕や手首を不安定にさせたり、動かしたりすることで、適切な測定姿勢でない場合や体動が発生する場合も有り得る。そこで、第２の実施の形態として、上記判定の精度を向上させるため、測定部位を含む一肢のうちの測定部位以外の他の２箇所以上の部位の載置および載置位置・荷重の変化を検知することで測定姿勢や体動の有無を判定する場合について説明する。例として、第２の実施の形態にかかる測定装置１０２では、測定部位を含む一肢のうちの測定部位以外の他の２箇所の部位の載置および載置位置・荷重の変化を検知することで測定姿勢や体動の有無を判定する。具体的に、第２の実施の形態では、図８および図９に示されるように、測定時に肘を置く位置の荷重検知部９Ａに加えて、肘より末梢の部位を支持する位置の荷重検知部９Ｂを備え、上記測定部位以外の他の２箇所の部位として、肘部と前腕または手首との載置および載置位置・荷重の変化を検知する。
【００４１】
図８は測定装置１０２の外観の具体例を示す図である。図９は、測定装置１０２を用いて上腕を測定部位として血圧情報を測定する際の測定姿勢を示す模式断面図である。図８，図９を参照して、測定装置１０２は、測定装置１０１の荷重検知部９に相当する荷重検知部９Ａを備え、加えて、ハウジング６の中空部に上腕が差し込まれた際に前腕または手首を支持する位置に、荷重検知部９Ｂを備える。
【００４２】
図１０は、荷重検知部９Ａ，９Ｂの検知領域の具体例を示す図である。図１０を参照して、荷重検知部９Ａは測定装置１０１に備えられる荷重検知部９と同様の複数の検知領域１〜５を含んで構成され、荷重検知部９Ｂは複数の検知領域Ａ〜Ｃを含んで構成され、各々、各領域の荷重を検知し、検知された荷重に応じた検知信号を出力する。図１０は検知領域１〜５，Ａ〜Ｃの配置の１つの例を示しており、領域１および領域Ａが測定姿勢が適切であるときに肘および前腕が載置される領域に該当する。ここで、適切な測定姿勢とは、ハウジング６の中空部の略中央位置を上腕の中心位置とし、肘が基体２に接するまで上腕を差し込み、かつ、支持部に前腕または手首を支持させた姿勢を言うものとする。そのため、荷重検知部９Ａに含まれる領域１〜５と、荷重検知部９Ｂに含まれる領域Ａ〜Ｃとは、図１０に示されるような位置関係を有する。すなわち、荷重検知部９Ａにおいて適切な測定姿勢である場合に荷重が検知される領域１、換言すると適切な測定姿勢であるときに肘が載置される領域１の中心は、荷重検知部９Ｂにおいて適切な測定姿勢である場合に荷重が検知される領域Ａ、換言すると適切な測定姿勢であるときに前腕または手首が支持される領域Ａに含まれる。好ましくは、これらの中心が一致する。なお、図１０には荷重検知部９Ａ，９Ｂに各々複数の検知領域が含まれている例が示されているが、荷重検知部９Ａ，９Ｂに各々少なくとも１つ、測定姿勢が適切であるときに肘が載置される領域１および前腕または手首が支持される領域Ａに該当する検知領域が含まれていればよい。
【００４３】
なお、図８〜図１０は、測定装置１０２が、基体２に測定部１２が取り付けられた、据置型である場合の例を示しているが、測定装置１０２もまた第１の実施の形態と同様、図１１に示されるように、基体２にエアチューブ８を介して腕帯５が接続されて、腕帯５を測定者が測定部位に巻き付けて血圧情報を測定するタイプのものであってもよい。その場合、図１１に示されるように、荷重検知部９Ａ，９Ｂは、各々、基体２の上部であって、肘および前腕または手首が接する位置に設けられるものとする。
【００４４】
図１２は、測定装置１０２の機能ブロックを示す図である。図１２を参照して、測定装置１０２は、図５に示される測定装置１０１に備えられる各機能のうち、荷重検知部９に替えて荷重検知部９Ａ，９Ｂを備える。荷重検知部９Ａ，９Ｂを駆動させる駆動回路２５は、マルチプレクサ２４を介して荷重検知部９Ａ，９Ｂに接続される。
【００４５】
判定部４０１は荷重検知部９Ａ，９Ｂからの検知信号に基づいて測定姿勢の適否や体動を検知する。詳しくは、荷重検知部９Ａは図１０に示されたように検知領域１〜５を含み、荷重検知部９Ｂは図１０に示されたように検知領域Ａ〜Ｃを含み、荷重検知部９Ａ，９Ｂからの検知信号より、測定姿勢が適切であるときに肘が載置される領域に該当する領域１および領域Ａで荷重が検知されることで、その検知信号に基づいて判定部４０１では測定姿勢が適切であることが判定される。荷重検知部９Ａの検知領域２〜５は領域１以外の検知領域であって、荷重検知部９Ｂの検知領域Ｂ，Ｃは領域Ａ以外の検知領域であって、これら領域で荷重が検知されることで、その検知信号に基づいて判定部４０１では測定姿勢が適切でないことが判定される。または、荷重検知部９Ａに領域１のみが含まれ、荷重検知部９Ｂに領域Ａのみが含まれている場合には、領域１および領域Ａの双方で荷重が検知されないことによって、判定部４０１では測定姿勢が適切でないことが判定される。さらに、適切な測定姿勢で血圧情報の測定が開始した後に領域１，Ａ以外の領域で荷重が検知されること、または領域１，Ａの少なくとも一方でも荷重の変化が検知されることによって、判定部４０１では、測定動作中に体動があったことが判定される。
【００４６】
図１３は、測定装置１０２での測定動作を示すフローチャートである。図１３において、第１の実施の形態にかかる測定装置１０１での動作と異なる動作がステップ番号にダッシュを付して示されている。以下、測定装置１０１での動作と異なる点について図１３を用いて説明する。すなわち、図１３を参照して、ステップＳ１０１’で判定部４０１は、荷重検知部９Ａからの検知信号に基づいて図１０の検知領域１にのみ荷重が検知され、かつ荷重検知部９Ｂからの検知信号に基づいて図１０の検知領域Ａにのみ荷重が検知されるか否かを判定する。そうでない場合、つまり、領域２〜５や領域Ｂ，Ｃにも荷重が検知される場合（ステップＳ１０１’でＮＯ）、判定部４０１は測定姿勢が適切ではないと判定し、ステップＳ１０３’でＣＰＵ４０は、荷重の検知された領域に応じて、適切な測定姿勢になる肘置きの位置および／または前腕あるいは手首の支持位置をガイドするための表示を行なう。ステップＳ１０３’の処理としては、一例として、予め、荷重の検知された領域に対応付けられたガイド画面が用意されており、ＣＰＵ４０は判定部４０１で判定された荷重の検知された領域に対応したガイド画面のデータを読み出して表示部４に表示させるための処理を行なう処理が挙げられる。具体的には、領域１〜５が図１０のように設けられている場合、領域２〜５の各々について荷重が検知された場合には、第１の実施の形態での動作と同様の表示を行なう。さらに、領域Ａ〜Ｃが図１０のように設けられている場合、領域Ｂに荷重が検知された場合には「前腕を右側へ」とガイドする画面を表示し、領域Ｃに荷重が検知された場合には「前腕を左側へ」とガイドする画面を表示し、領域Ａ〜Ｃのいずれの領域にも荷重が検知されない場合には「前腕を台に接触させて下さい」とガイドする画面を表示する、などが挙げられる。以降、第１の実施の形態にかかる測定装置１０１と同様の動作が行なわれる。
【００４７】
ステップＳ１０９で血圧情報の測定が開始すると、測定装置１０２でも、ステップＳ１１１の測定動作と並行して、ステップＳ１１３’で測定動作中の体動を検知する動作が行なわれる。図１４は上記ステップＳ１１３’での体動検知動作の具体例を示すフローチャートである。図１４でも、第１の実施の形態にかかる測定装置１０１での動作と異なる動作がステップ番号にダッシュを付して示されている。
【００４８】
図１４を参照して、判定部４０１は、ステップＳ１１１で血圧情報測定動作が開始すると、荷重検知部９からの検知信号に基づいて図１０に示された領域２〜５，Ｂ，Ｃのいずれかの領域に荷重が検知されるか否かを監視する。血圧情報の測定動作中にいずれかの領域で荷重が検知されると（ステップＳ２０１’でＹＥＳ）、ステップＳ２０５でＣＰＵ４０は、表示部４に体動を検知したことを通知するための画面を表示する。また、その表示に加えて、またはその表示に替えて、音声やアラームでその旨を告知するようにしてもよい。さらに、ステップＳ２０７でＣＰＵ４０は、メモリ４１の所定領域に、体動が検知されたことを示す検知フラグ４１１を立てる。
【００４９】
領域２〜５，Ｂ，Ｃのいずれでも荷重が検知されない場合であっても、領域１で検知される荷重および領域Ａで検知される荷重の少なくとも一方が上記ステップＳ１０１’で検知された荷重から所定範囲以上変化したことが検知された場合も（ステップＳ２０１’でＮＯ、Ｓ２０３’でＹＥＳ）、同様に、ステップＳ２０５でＣＰＵ４０は、表示部４に体動を検知したことを通知するための画面を表示し、ステップＳ２０７で検知フラグ４１１を立てる。
【００５０】
なお、上の例でも、測定装置１０１が、ステップＳ１０１’での測定姿勢の判定と、ステップＳ１１３’の測定動作中の体動検知動作との双方の動作を行なうこととしているが、ステップＳ１０１’の測定姿勢の判定のみ行なわれてもよい。
【００５１】
測定装置１０２が荷重検知部９Ａと荷重検知部９Ｂとを備えて以上の動作を行なうことで、測定装置１０２では血圧情報の測定開始よりも以前に、肘部より末梢側の前腕または手首が血圧情報の測定に適した安定した状態であることを確認し、肘部と前腕または手首とを置く位置を適切な位置にガイドし、適切な測定姿勢が判定されてから測定が開始される。これにより、より正確な血圧情報の測定を行なうことができ、測定精度を向上させることができる。
【００５２】
さらに、測定装置１０２では荷重検知部９Ｂで肘部より末梢側の前腕または手首の体動を確実に検知することができる。
【００５３】
なお、上の例では、測定部位を含む一肢のうちの測定部位以外の他の２箇所以上の部位として肘部と前腕または手首との載置および載置位置・荷重の変化を検知することで測定姿勢や体動の有無を判定するものとしているが、上記測定部位以外の他の２箇所以上の部位は肘部と前腕または手首とに限定されず、測定部位を含む一肢のうちのいずれの部位であってもよい。さらには、肘部と前腕または手首とに加えて、その他の部位の載置および載置位置・荷重の変化を検知することで測定姿勢や体動の有無を判定してもよい。
【００５４】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【００５５】
【図１】第１の実施の形態にかかる測定装置の外観の具体例を示す図である。
【図２】第１の実施の形態にかかる測定装置を用いて上腕を測定部位として血圧情報を測定する際の測定姿勢を示す模式断面図である。
【図３】第１の実施の形態にかかる測定装置の荷重検知部の検知領域の構成の具体例を示す図である。
【図４】第１の実施の形態にかかる測定装置の外観の他の具体例を示す図である。
【図５】第１の実施の形態にかかる測定装置の機能ブロックを示す図である。
【図６】第１の実施の形態にかかる測定装置での動作を示すフローチャートである。
【図７】第１の実施の形態にかかる測定装置での体動検知動作の具体例を示すフローチャートである。
【図８】第２の実施の形態にかかる測定装置の外観の具体例を示す図である。
【図９】第２の実施の形態にかかる測定装置を用いて上腕を測定部位として血圧情報を測定する際の測定姿勢を示す模式断面図である。
【図１０】第２の実施の形態にかかる測定装置の荷重検知部の検知領域の構成の具体例を示す図である。
【図１１】第２の実施の形態にかかる測定装置の外観の他の具体例を示す図である。
【図１２】第２の実施の形態にかかる測定装置の機能ブロックを示す図である。
【図１３】第２の実施の形態にかかる測定装置での動作を示すフローチャートである。
【図１４】第２の実施の形態にかかる測定装置での体動検知動作の具体例を示すフローチャートである。
【符号の説明】
【００５６】
１０１，１０２  測定装置、２  基体、３  操作部、４  表示部、５  腕帯、６  ハウジング、７  カバー、８  エアチューブ、９，９Ａ，９Ｂ  荷重検知部、１２  測定部、１３  空気袋、２１  エアポンプ、２２  排気弁、２３  圧力センサ、２４  マルチプレクサ、２５，２６，２７  駆動回路、２８  変換器、２９  増幅器Ａ／Ｄ、４０  ＣＰＵ、４１  メモリ、４０１  判定部。
【図２】
2010075514.tif 000003
【図３】
2010075514.tif 000004
【図４】
2010075514.tif 000005
【図５】
2010075514.tif 000006
【図６】
2010075514.tif 000007
【図７】
2010075514.tif 000008
【図９】
2010075514.tif 000009
【図１０】
2010075514.tif 000010
【図１１】
2010075514.tif 000011
【図１２】
2010075514.tif 000012
【図１３】
2010075514.tif 000013
【図１４】
2010075514.tif 000014
【図１】
2010075514.tif 000015
【図８】
2010075514.tif 000016